(57)【要約】【課題】その一部分が故障しても他の部分の機能が阻害されにくく、どのような指令員がログインしているかに応じて、適切な警報情報が適切な監視端末に表示される監視システムを提供する。【解決手段】本発明による監視システム（１０）は、指令員によってそれぞれに操作される複数の監視端末（３）と、監視対象（１）を監視して、監視対象（１）に関する警報情報を、監視端末（３）のそれぞれに送信する警報検知装置（２）とを備えている。複数の監視端末（３）のそれぞれは、それぞれにログインしている指令員の種別を示す指令員種別情報に応答して警報情報のうちから表示すべき表示警報情報を選択し、選択した表示警報情報を監視画面（３８）に表示する。【選択図】  図１
2004310526.tif 000002
【特許請求の範囲】
【請求項１】
指令員によってそれぞれに操作される複数の監視端末と、
監視対象を監視して、前記監視対象に関する警報情報を、前記監視端末のそれぞれに送信する警報検知装置
とを備え、
前記複数の監視端末のそれぞれは、それぞれにログインしている前記指令員の種別を示す指令員種別情報に応答して前記警報情報のうちから表示すべき表示警報情報を選択し、前記表示警報情報を監視画面に表示する
監視システム。
【請求項２】
請求項１に記載の監視システムにおいて、
前記複数の監視端末のそれぞれは、前記指令員種別情報と、他の監視端末にログインしている他端末ログイン指令員の種別を示す他端末状態情報に応答して前記表示警報情報を選択し、前記表示警報情報を表示する
監視システム。
【請求項３】
請求項１又は請求項２に記載の監視システムにおいて、
前記監視対象は、複数のサブシステムを含み、
前記警報検知装置は、前記複数のサブシステムをそれぞれに監視して前記警報情報をそれぞれに生成する複数の警報サーバを含み、
前記警報サーバは、それぞれが生成した前記警報情報を、前記複数の監視端末のそれぞれに送信し、
前記複数の監視端末のそれぞれは、
前記警報サーバのそれぞれから送信される前記警報情報を統合して蓄積する警報バッファと、
前記警報バッファに蓄積されている前記警報情報のうちから前記表示警報情報を選択して表示する警報表示処理部
とを備えた
監視システム。
【請求項４】
請求項１乃至請求項３に記載の監視システムにおいて、
前記複数の監視端末のそれぞれは、それぞれにログインしている前記指令員の前記種別を示す監視端末状態情報を他の監視端末に送信し、且つ、前記他の監視端末からの前記監視端末状態情報を統合して前記他端末状態情報を生成する
監視システム。
【請求項５】
請求項１乃至請求項３に記載の監視システムにおいて、
前記監視端末は、
前記指令員により入力される指令員識別情報を受け取る入力装置と、
登録指令員を識別する登録指令員識別情報と前記登録指令員の種別を示す登録種別情報とが関連付けられて登録されている認証テーブルと、
前記認証テーブルから、前記指令員識別情報に一致する前記登録指令員識別情報に関連付けられている前記登録種別情報を前記指令員種別情報として取得する認証処理部
とを含む
監視システム。
【請求項６】
請求項１乃至請求項３に記載の監視システムにおいて、
更に、
認証サーバを備え、
前記複数の監視端末のそれぞれは、前記指令員によって入力された指令員識別情報を前記認証サーバに送信し、
前記認証サーバは、
登録指令員を識別する登録指令員識別情報と前記登録指令員の種別を示す登録種別情報とが関連付けられて登録されている認証テーブルと、
前記指令員識別情報に一致する前記登録指令員識別情報に関連付けられている前記登録種別情報を前記指令員種別情報として前記監視端末のそれぞれに供給する認証処理部
とを含む
監視システム。
【請求項７】
請求項２に記載の監視システムにおいて、
前記警報情報は、前記警報情報が表示されるべき前記指令員の種別の優先順位を示す優先順位情報を含み、
前記監視端末のそれぞれは、前記指令員種別情報と前記他端末状態情報と前記優先順位情報とに基づいて、前記警報情報のそれぞれを表示すべきかを判断し、表示すべきと判断した前記警報情報を表示する
監視システム。
【請求項８】
監視対象に関する警報情報を受信する警報通信処理部と、
当該監視端末にログインしている前記指令員の種別を示す指令員種別情報に応答して前記警報情報のうちから表示すべき表示警報情報を選択し、前記表示警報情報を監視画面に表示する警報表示処理部
とを備えた
監視端末。
【請求項９】
請求項８に記載の監視端末において、
前記警報表示処理部は、前記指令員種別情報と、他の監視端末にログインしている他端末ログイン指令員の種別を示す他端末状態情報に応答して前記表示警報情報を選択し、前記表示警報情報を前記監視画面に表示する
監視端末。
【請求項１０】
請求項９に記載の監視端末において、
更に、
当該監視端末にログインしている前記指令員の種別を示す監視端末状態情報を他の監視端末に送信する送信部と、
他の監視端末から監視端末状態情報を受信して前記他端末状態情報を生成する他端末監視部
とを備えた
監視端末。
【請求項１１】
請求項９に記載の監視端末において、
前記警報情報は、前記警報情報が表示されるべき前記指令員の種別の優先順位を示す優先順位情報を含み、
前記警報表示処理部は、前記指令員種別情報と前記他端末状態情報と前記優先順位情報とに基づいて、前記警報情報のそれぞれを表示すべきかを判断し、表示すべきと判断した前記警報情報を前記監視画面に表示する
監視端末。
【請求項１２】
監視対象を監視して、前記監視対象に関する警報情報を生成するステップと、
監視端末にログインしている前記指令員の種別を示す指令員種別情報に応答して前記警報情報のうちから表示すべき表示警報情報を選択するステップと、
前記表示警報情報を前記監視端末の監視画面に表示するステップ
とを備えた
監視方法。
【請求項１３】
請求項１２に記載の監視方法において、
前記表示警報情報は、前記指令員種別情報と、他の監視端末にログインしている他端末ログイン指令員の種別を示す他端末状態情報に応答して選択される
監視方法。
【発明の詳細な説明】
【０００１】
【発明の属する技術分野】
本発明は、監視システムに関する。
【０００２】
【従来の技術】
鉄道その他の監視対象を監視するために、監視システムが使用される。監視システムは、一般に、監視対象の異常を示す警報情報を生成する警報発生装置と、該警報情報を表示する監視端末とで構成される。指令員は、警報情報の表示により、監視対象の異常を認知することができる。
【０００３】
監視対象が大規模化すると、それを監視する監視システムも大規模化し、更に、該監視システムを運用する人的な組織も大規模化する。例えば、監視対象の各部分を監視する複数の警報発生装置が設けられ、更に、警報情報を表示する監視端末が複数設けられる。更に、複数の人員が監視システムの指令員として用意され、その指令員の任務は、監視対象の全体を監視するのではなく、監視対象の一部分を分掌して監視するように分業化される。
【０００４】
複数の警報発生装置と複数の監視端末を備えた大規模な監視システムが特許文献１に開示されている。特許文献１は、監視端末の障害の有無を確認し、警報毎に予め決められた優先順位によって、障害の発生していない監視装置に警報を通知する監視システムを開示している。このような監視システムは、監視対象に警報が多発して監視システムが輻輳状態になった場合に、警報通知の分散化を図ることができ、警報の内容によって通知する監視装置を選択することができる。
【０００５】
このような監視システムでは、その一部分が故障しても他の部分の機能が阻害されにくいことが望まれる。上述のように、どの指令員が監視システムにログインしているかに応じて、適切な警報項目を適切な監視端末に表示するためには、どの警報項目をどの監視端末に表示するかを管理する警報統合管理サーバを使用することは有用であると考えられる。しかし、かかる警報統合管理サーバを使用する監視システムは、該警報統合管理サーバの故障によって監視システム全体の機能が停止することが考えられ、好ましくない。
【０００６】
その一方で、監視システムは、どのような指令員が監視システムにログインしているかに応じて（又はログインしていないのかに応じて）、適切な警報項目が適切な監視端末に表示されることが望まれる。例えば、ある指令員αは、ある警報項目Ｘに対処する任務を有するが、警報項目Ｙに対処する任務を有しないとする。この場合、指令員が操作する監視端末には、警報項目Ｘが表示される一方、警報項目Ｙは表示されないことが好適である。更に例えば、指令員αは警報項目Ｘに対処する任務を負っており、指令員βは指令員αが監視業務に就いていないときに限って警報項目Ｘに対処する任務を負っているとする。この場合、指令員βが操作する監視端末は、指令員αが監視端末にログインしていない場合には警報項目Ｘを表示し、指令員αが監視端末にログインしている場合には警報項目Ｘを表示しないことが好適である。
【０００７】
更に、監視システムは、それを運用する人的な組織の組織変更や、その監視システム自体のシステム変更に柔軟に対応可能なことが望まれる。例えば、指令員の人数や、指令員それぞれの任務が変更されたときにも、監視システムは、それに容易に対処可能であることが望まれる。更に、監視システムは、監視対象に含まれる装置の増減、警報を出力する装置の増減、及び監視端末の増減が容易であることが望まれる。
【０００８】
【特許文献１】
特開２００１−１５４８８４
【０００９】
【発明が解決しようとする課題】
本発明の目的は、その一部分が故障しても他の部分の機能が阻害されにくい監視システムを提供することにある。
本発明の他の目的は、どのような指令員がログインしているかに応じて、適切な警報情報が適切な監視端末に表示される監視システムを提供することにある。本発明の更に他の目的は、それを運用する人的な組織の組織変更、及び／又は、その監視システム自体のシステム変更に柔軟に対応可能な監視システムを提供することにある。
【００１０】
【課題を解決するための手段】
上記目的を達成するための手段が以下に記述される。その手段に含まれる技術的事項には、［発明の実施の形態］の記載で使用される番号・符号が付記され、これにより、［特許請求の範囲］の記載と［発明の実施の形態］の記載との対応関係が明確にされている。ただし、付記された番号・符号は、［特許請求の範囲］に記載されている発明の技術的範囲の解釈に用いてはならない。
【００１１】
本発明による監視システム（１０）は、指令員によってそれぞれに操作される複数の監視端末（３）と、監視対象（１）を監視して、監視対象（１）に関する警報情報を、監視端末（３）のそれぞれに送信する警報検知装置（２）とを備えている。複数の監視端末（３）のそれぞれは、それぞれにログインしている指令員の種別を示す指令員種別情報に応答して警報情報のうちから表示すべき表示警報情報を選択し、選択した表示警報情報を監視画面（３８）に表示する。
【００１２】
このような構成を有する監視システム（１０）は、監視端末（３）のそれぞれが自律的に表示すべき表示警報情報を選択するため、どの警報項目をどの監視端末に表示するかを管理する装置を必要としない。このため、当該監視システム（１０）は、その一部分が故障しても他の部分の機能が阻害されにくい。
【００１３】
更に、当該監視システム（１０）は、表示すべき表示警報情報を、それぞれにログインしている指令員の種別を示す指令員種別情報に応答して選択するため、どのような指令員が監視端末（３）にログインしているかに応じて、適切な警報情報が監視画面（３８）に表示される。
【００１４】
複数の監視端末（３）のそれぞれは、指令員種別情報と、他の監視端末（３）にログインしている他端末ログイン指令員の種別を示す他端末状態情報に応答して表示警報情報を選択し、選択された表示警報情報を表示することが好ましい。これにより、複数の監視端末（３）のそれぞれは、他の監視端末（３）にどのような種別の指令員がログインしているかに応じて、表示すべき表示警報情報を適切に選択することができる。
【００１５】
監視対象（１）が複数のサブシステム（１）を含み、警報検知装置（２）が複数のサブシステム（１）をそれぞれに監視して警報情報をそれぞれに生成する複数の警報サーバ（２）を含む場合には、警報サーバ（２）は、それぞれが生成した前記警報情報を、前記複数の監視端末（３）のそれぞれにマルチキャストで、又は、ブロードキャストで送信し、複数の監視端末（３）のそれぞれは、警報サーバ（２）のそれぞれから送信される警報情報を統合して蓄積する警報バッファ（３６）と、警報バッファ（３６）に蓄積されている警報情報のうちから表示警報情報を選択して表示する警報表示処理部（３７）とを備えていることが好ましい。このような監視システム（１０）は、警報サーバ（２）及び監視端末（３）が増減されても、警報サーバ（２）及び監視端末（３）の動作を変更する必要がなく、即ち、警報サーバ（２）及び監視端末（３）のソフトウエアを変更する必要がない。従って、当該監視システム（１０）は、それを運用する人的な組織の組織変更、及び／又は、その監視システム（１０）自体のシステム変更に柔軟に対応可能である。
【００１６】
より自律的に複数の監視端末（３）を動作させるためには、監視端末（３）のそれぞれが、それぞれにログインしている指令員の種別を示す監視端末状態情報を他の監視端末（３）に送信し、且つ、前記他の監視端末（３）からの前記監視端末状態情報を統合して前記他端末状態情報を生成することが好ましい。
【００１７】
上述の指令員種別情報は、監視端末（３）自身によって生成されることが可能である。この場合、監視端末（３）は、指令員により入力される指令員識別情報（例えば、指令員ＩＤ及びパスワード）を受け取る入力装置（３１）と、登録指令員を識別する登録指令員識別情報と登録された登録指令員の種別を示す登録種別情報とが関連付けられて登録されている認証テーブル（３３）と、認証テーブル（３３）から、指令員識別情報に一致する登録指令員識別情報に関連付けられている登録種別情報を指令員種別情報として取得する認証処理部（３２）とを含むことが好ましい。
【００１８】
更に、当該監視システム（１０）に認証サーバ（４）を備えられている場合には、上述の指令員種別情報は、認証サーバ（４）によって生成されることが可能である。この場合、複数の監視端末（３）のそれぞれは、前記指令員によって入力された指令員識別情報を認証サーバ（４）に送信し、認証サーバ（４）は、登録指令員を識別する登録指令員識別情報と前記登録指令員の種別を示す登録種別情報とが関連付けられて登録されている認証テーブル（４２）と、指令員識別情報に一致する登録指令員識別情報に関連付けられている登録種別情報を指令員種別情報として監視端末（３）のそれぞれに供給する認証処理部（４１）とを含むことが好ましい。
【００１９】
上述の警報情報は、警報情報が表示されるべき指令員の種別の優先順位を示す優先順位情報を含み、監視端末（３）のそれぞれは、前記指令員種別情報と前記他端末状態情報と前記優先順位情報とに基づいて、前記警報情報のそれぞれを表示すべきかを判断し、表示すべきと判断した前記警報情報を表示することが好ましい。このような構成は、どのような指令員が監視システム（１０）にログインしているかに応じて、適切な警報情報を適切な監視端末（３）に表示することを可能にする。
【００２０】
【発明の実施の形態】
以下、添付図面を参照しながら、本発明による監視システムの実施の形態を説明する。
【００２１】
図１は、本発明による監視システムの実施の第１形態を示している。実施の第１形態の監視システム１０は、鉄道を運行するために設けられている複数のサブシステムＳｙｓｔｅｍ−Ｐ１−１、サブシステムＳｙｓｔｅｍ−Ｑ１−２、サブシステムＳｙｓｔｅｍ−Ｒ１−３を監視する環境を、指令員に提供するシステムである。これらのサブシステムは、以下において、区別されず、いずれもサブシステム１と呼ばれる。
【００２２】
鉄道のような大規模なシステムでは、全ての指令員に全てのサブシステム１を監視する任務及び権限が与えられているわけではない。全ての指令員には、種別が定められ、指令員の任務及び権限は、その種別に応じて定められている。
【００２３】
更に、指令員の任務及び権限には、条件が付され得る。例えば、種別Ａの指令員は、他の種別Ｂの指令員が、同時に監視システム１０にログインしていない場合にのみ、あるサブシステム１を監視する任務及び権限を有する場合があり得る。
【００２４】
このため、監視システム１０は、それにログインしている指令員の種別に応じて、且つ、該指令員以外にどのような種別の指令員が監視システム１０にログインしているかに応じて、該指令員の任務及び権限に対応した適切な環境を指令員に提供するように設計されている。
【００２５】
このような監視システム１０は、複数の警報サーバ２と複数の監視端末３と認証サーバ４とＬＡＮ５とで構成されている。警報サーバ２、監視端末３、及び認証サーバ４は、ＬＡＮ５を介して相互に通信可能である。
【００２６】
警報サーバ２は、サブシステム１のそれぞれに接続され、それぞれが接続されているサブシステム１を監視する。警報サーバ２は、それが接続されているサブシステム１に、異常その他の警報を発生すべき事態が発生すると、該事態の発生を通知する警報情報を監視端末３に送信する。警報情報は、監視端末３の全てに送信される。
【００２７】
監視端末３は、警報サーバ２のそれぞれから送られた警報情報を統合して監視画面に表示する。ただし、監視端末３は、警報サーバ２から送られる警報情報の全てを監視画面に表示するのではない。監視端末３は、それを操作している指令員の種別に応じて、及びその指令員以外にどのような指令員が他に監視システム１０にログインしているかに応じて表示すべき警報情報を自律的に選択し、選択された警報情報のみを監視画面に表示する。
【００２８】
認証サーバ４は、監視端末３を操作する指令員の認証に使用される。指令員が正常に認証された場合にのみ、指令員は監視端末３を操作することが許可される。
【００２９】
図２は、このような動作を行う警報サーバ２、監視端末３、及び認証サーバ４の構成をより詳細に示すブロック図である。
【００３０】
認証サーバ４は、認証処理部４１と指令員認証テーブル４２とを備えている。図３は、指令員認証テーブル４２の内容を示している。指令員認証テーブル４２は、指令員のそれぞれの指令員ＩＤ、パスワード、及び種別を関連付けて記憶している。認証サーバ４は、新たな指令員の指令員認証テーブル４２への登録、その他の指令員認証テーブル４２の更新を行い、指令員認証テーブル４２を最新の状態に保つ。
【００３１】
図２に示されているように、認証処理部４１は、指令員認証テーブル４２を使用して指令員の認証を行う。指令員が指令員ＩＤ、パスワードを監視端末３に入力すると、監視端末３は、入力された指令員ＩＤ、パスワードを含む認証要求を認証サーバ４に送信する。認証サーバ４の認証処理部４１は、指令員認証テーブル４２を参照して認証要求に示されている指令員ＩＤとパスワードとが正しいかを判断し、指令員ＩＤとパスワードとが正しい場合、該指令員を正常に認証する。
【００３２】
認証処理部４１の機能は、コンピュータプログラムと、該コンピュータプログラムを実行するプロセッサとによって実現される。
【００３３】
警報サーバ２は、警報発生処理部２１と警報送出バッファ２２と、警報通信処理部２３と、ネットワークＩ／Ｆ２４とを備えている。警報発生処理部２１は、それが接続されているサブシステム１における異常その他の警報を発すべき事態の発生を検知して警報情報を発生する。
【００３４】
図４は、警報発生処理部２１が発生する警報情報の内容を示す。警報情報は、警報を発すべき事態が発生した時刻を示すタイムスタンプ２１ａと、かかる事態が発生する毎に生成されるシリアル番号２１ｂと、該事態を識別する警報ＩＤ２１ｃと、該事態の内容を示す警報メッセージ２１ｄと、該事態が発生したサブシステム１を識別するサブシステムＩＤ２１ｅと、該事態の緊急度を示す緊急度情報２１ｆと、優先順位情報２１ｇとを含んでいる。
【００３５】
警報情報の優先順位情報２１ｇは、該警報が優先的に表示される指令員の種別の優先順位を示している。例えば、警報シリアル番号”Ａ０２１”が与えられている警報情報は、種別Ａの指令員に第１優先順位、種別Ｂの指令員に第２優先順位、種別Ｃの指令員に第３優先順位、及び種別Ｄの指令員に第４優先順位を与えている。この警報情報は、種別Ａの指令員が監視システム１０にログインしている場合には、その指令員が操作する監視端末３に表示される。一方、種別Ａの指令員が監視システム１０にログインしていない場合には、該警報情報は、種別Ｂの指令員が操作する監視端末３に最優先で表示される。
【００３６】
図２を参照して、警報送出バッファ２２は、警報発生処理部２１が生成した警報情報を蓄積する。警報通信処理部２３は、警報送出バッファ２２に蓄積されている警報情報を、ネットワークＩ／Ｆ２４を介して監視端末３のそれぞれに送信する。警報情報の送信は、マルチキャストで、又はブロードキャストで行われ、通信可能な全ての監視端末３に同じ警報情報が送信される。
【００３７】
警報発生処理部２１と警報通信処理部２３の機能は、コンピュータプログラムと、該コンピュータプログラムを実行するプロセッサとによって実現される。
【００３８】
監視端末３は、入力装置３１と認証処理部３２と指令員認証テーブル３３と他端末監視部３４と警報通信処理部３５と警報バッファ３６と警報表示処理部３７と監視画面３８とを備えている。
【００３９】
入力装置３１は、指令員から監視システム１０に情報を与えるマン−マシンインターフェースである。典型的には、キーボードとマウスとが、入力装置３１として使用される。
【００４０】
認証処理部３２は、指令員を認証するための処理を行う。指令員の指令員ＩＤ及びパスワードが入力装置３１に入力されると、認証処理部３２は、監視端末３を操作する指令員の認証を要求する認証要求を認証サーバ４に送信する。指令員が正常に認証された場合には、認証処理部３２は、自己が属する監視端末３の状態を示す監視端末状態情報を他の監視端末３にマルチキャストで、又はブロードキャストで送信する。監視端末状態情報は、自己の監視端末３の端末ＩＤと、ログインした指令員の種別を示す情報とを含む。更に認証処理部３２は、自己が属する監視端末３にログインしている指令員の種別を示す指令員種別情報を生成する。
【００４１】
指令員認証テーブル３３は、指令員のそれぞれの指令員ＩＤ、パスワード、及び種別を関連付けて記憶している。指令員認証テーブル３３は、認証サーバ４が正常に機能しない場合のために予備的に用意されている。認証サーバ４が機能していないとき、認証処理部３２は、指令員認証テーブル３３を利用して指令員の認証を行う。
【００４２】
他端末監視部３４は、他の監視端末３の状態を監視して、他の監視端末３の状態を示す他端末状態情報を生成する。他端末状態情報は、他の監視端末３のうち指令員がログインしているものの端末ＩＤと、その監視端末３にログインしている指令員の種別を示す情報とを含んでいる。他端末状態情報は、他の監視端末３から送信される監視端末状態情報に基づいて生成される。
【００４３】
警報通信処理部３５と警報バッファ３６と警報表示処理部３７とは、各警報サーバ２から送信される警報情報の表示に関与する。警報通信処理部３５は、各警報サーバ２から送信される警報情報を受信し、統合して警報バッファ３６に蓄積する。警報表示処理部３７は、警報バッファ３６に蓄積されている警報情報から監視画面３８に表示すべきものを選択する。監視画面３８に表示される警報情報の選択は、警報情報に含まれる優先順位情報２１ｇと、認証処理部３２が生成する指令員種別情報と、他端末監視部３４が生成する他端末状態情報とに基づいて行われる。警報表示処理部３７は、選択した警報情報を監視画面３８に表示する。
【００４４】
更に、警報表示処理部３７は、監視画面３８に表示された警報情報が指令員によって確認されると、該警報情報を警報バッファ３６から消去し、更に、該警報情報の警報送出バッファ２２からの消去を要求する警報情報消去要求を、警報サーバ２に送信する。警報情報消去要求を受信した警報サーバ２の警報情報通信処理部２３は、該警報情報消去要求によって指示された警報情報を、警報送出バッファ２２から消去する。
【００４５】
ネットワークＩ／Ｆ３９は、監視端末３に、警報サーバ２、他の監視端末３、及び認証サーバ４に通信する機能を提供する。
【００４６】
監視端末３の認証処理部３２と他端末監視部３４と警報通信処理部３５と警報表示処理部３７の機能は、コンピュータプログラムと、該コンピュータプログラムを実行するプロセッサとによって実現される。
【００４７】
図２を参照して、指令員が監視システム１０を用いてサブシステム１を監視する態様が説明される。サブシステム１を監視するためには、指令員は、一の監視端末３にログインする必要がある。一の監視端末３にログインしようとする指令員は、自己に与えられている指令員ＩＤとパスワードとを、該一の監視端末３の入力装置３１に入力する。該一の監視端末３では、入力された指令員ＩＤとパスワードとに基づいて、該指令員を認証するための処理が行われる。
【００４８】
指令員を認証するための処理は、認証サーバ４が正常に動作しているか否かに応じて異なる。指令員ＩＤとパスワードとが入力装置３１に入力されると、監視端末３の認証処理部３２は、認証サーバ４にアクセスし、認証サーバ４が正常に動作しているか否かを判断する。
【００４９】
認証サーバ４が正常に動作している場合、認証処理部３２は、入力された指令員ＩＤとパスワードとを含む認証要求を認証サーバ４に送信する。認証サーバ４の認証処理部４１は、認証要求に含まれている指令員ＩＤとパスワードとが正しいかを、指令員認証テーブル４２を用いて判断する。指令員ＩＤとパスワードとが正しい場合、認証処理部４１は指令員を正常に認証する。
【００５０】
指令員を正常に認証した場合、認証処理部４１は、該指令員ＩＤを検索キーとして指令員認証テーブル４２を検索して該指令員の種別を特定し、該指令員の種別を示す指令員種別情報を生成する。監視端末３は、認証処理部４１によって生成された指令員種別情報を受信する。
【００５１】
更に、認証処理部４１は、指令員認証テーブル４２自体を監視端末３に送信する。監視端末３の認証処理部３２は、監視端末３に含まれる指令員認証テーブル３３を送信された指令員認証テーブル４２に書き換える。これにより、監視端末３の指令員認証テーブル３３は、認証サーバ４によって管理されている最新の指令員認証テーブル４２に一致するように維持される。
【００５２】
一方、認証サーバ４が正常に動作していない場合、監視端末３の認証処理部３２は、入力された指令員ＩＤとパスワードとが正しいかを、監視端末３内にある指令員認証テーブル３３を用いて判断する。指令員ＩＤとパスワードとが正しい場合、認証処理部３２は指令員を正常に認証する。指令員を正常に認証した場合、認証処理部３２は、該指令員ＩＤを検索キーとして指令員認証テーブル３３を検索し、該指令員の種別を特定する。認証処理部３２は、該指令員の種別を示す指令員種別情報を生成する。
【００５３】
このような動作は、認証サーバ４によって指令員を一元的に管理することを可能にする一方、認証サーバ４の故障によって監視システム１０全体の機能が阻害されることを防止する。
【００５４】
認証サーバ４、又は監視端末３自身によって指令員が正常に認証されると、監視端末３は、自己に指令員がログインしていること、及びログインしている指令員の種別を示す監視端末状態情報を、ＬＡＮ５を介して、他の監視端末３にマルチキャストで、又はブロードキャストで送信する。他の監視端末３も同様に、自己に指令員が正常にログインすると、自己に指令員がログインしていること、及びログインしている指令員の種別を示す監視端末状態情報をマルチキャストで、又はブロードキャストで送信する。監視端末３は、他の監視端末３が送信する監視端末状態情報により、他の監視端末３に、どの種別の指令員がログインしているかを認識することができる。
【００５５】
サブシステム１のそれぞれは、それに接続されている警報サーバ２によって監視される。各警報サーバ２の警報発生処理部２１は、異常その他の警報を発生すべき事態がサブシステム１に発生する毎に、該事態の発生を通知する警報情報を生成する。生成された警報情報は、警報送出バッファ２２に蓄積される。警報送出バッファ２２に蓄積されている警報情報は、定期的に、典型的には数秒毎に、ＬＡＮ５を介して全ての監視端末３に送信される。
【００５６】
各警報サーバ２が送出する警報情報は、監視端末３の警報通信処理部３５によって受信されて警報バッファ３６に蓄積される。警報バッファ３６に蓄積された警報情報は、緊急度情報２１ｆに示されている緊急度が高い順、及びタイムスタンプ２１ａに示されている時刻が古い順にソートされる。
【００５７】
警報表示処理部３７は、警報バッファ３６に蓄積されている警報情報のうちから、監視画面３８に表示すべき警報情報を選択する。警報情報の選択は、該警報情報のそれぞれの緊急度情報２１ｆ及びタイムスタンプ２１ａ、他端末監視部３４によって生成された他端末状態情報、並びに、認証サーバ４（又は認証処理部３２）によって生成された指令員種別情報に基づいて行われる。
【００５８】
監視端末３の警報表示処理部３７は、他端末監視部３４が生成する他端末状態情報から、他のどの監視端末３に、どの種別の指令員がログインしているかを認識する。更に、警報表示処理部３７は、認証サーバ４（又は認証処理部３２）が生成した指令員種別情報から自己が属する監視端末３にログインしている指令員の種別を認識する。
【００５９】
更に、警報表示処理部３７は、自己が属する監視端末３にログインしている指令員の種別に第１優先順位を与えている警報情報を選択する。第１優先順位を与えている警報情報が複数ある場合には、警報表示処理部３７は、各警報情報の緊急度情報２１ｆを参照して、そのうちで緊急度が最も高い警報情報を選択する。緊急度が最も高い警報情報が複数ある場合には、警報表示処理部３７は、そのうちでタイムスタンプ２１ａが示している時刻が最も古いものを選択する。警報表示処理部３７は、このようにして選択された警報情報を監視画面３８に表示する。警報情報のタイムスタンプ２１ａ、警報シリアル番号２１ｂ、警報ＩＤ２１ｃ、警報メッセージ２１ｄ、サブシステムＩＤ２１ｅ及び緊急度情報２１ｆにより、指令員は、サブシステム１に発生している事態を把握することができる。
【００６０】
自己が属する監視端末３にログインしている指令員の種別に、第１優先順位を与えている警報情報が警報バッファ２２に存在しない場合には、警報表示処理部３７は、該種別に第２優先順位を与えている警報情報を選択する。ただし、その警報情報の優先順位情報２１ｇによって第１優先順位を与えられている種別の指令員が、他の監視端末にログインしている場合には、該警報情報は選択されない。このような手法によって第２優先順位を与えている警報情報が複数選択された場合には、緊急度が最も高い警報情報が選択され、更に緊急度が最も高い警報情報が複数ある場合には、タイムスタンプ２１ａが示している時刻が最も古いものが選択されて表示される。
【００６１】
例えば、図３を参照して、一の監視端末３に、種別Ｂの指令員がログインしており、他のいずれの監視端末３にも、種別Ａの指令員がログインしていないとする。更に、警報シリアル番号”Ａ０２１”によって特定される警報情報は、種別Ａの指令員に第１優先順位を与え、種別Ｂの指令員に第２優先順位を与えているとする。この場合、種別Ｂの指令員がログインしている該一の監視端末３の警報表示処理部３７は、警報シリアル番号”Ａ０２１”によって特定される警報情報を選択して監視画面３８に表示する。
【００６２】
このように、警報情報によって第１優先順位が与えられている種別の指令員が監視システム１０にログインしていない場合に限り、第２優先順位が与えられている種別の指令員が操作している監視端末３に該警報情報が表示される。これにより、ある警報情報に主として対処すべき主指令員が不在のときにのみ、該主指令員を代行する指令員が操作する監視端末３に該警報情報が表示され、警報情報の表示の適正化が図られる。
【００６３】
以下、同様に、自己が属する監視端末３にログインしている指令員の種別に、第ｉ優先順位より高い優先順位を与えている警報情報が存在しない場合には、警報情報の優先順位情報２１ｇによって第ｉ優先順位より高い優先順位が与えられている種別の指令員が他の監視端末にログインしていない場合に限り、その警報情報が選択される。このような手法により、複数の警報情報が選択された場合には、緊急度が最も高い警報情報が選択され、更に緊急度が最も高い警報情報が複数ある場合には、タイムスタンプ２１ａが示している時刻が最も古いものが選択されて表示される。
【００６４】
このように、他端末監視部３４によって生成された他端末状態情報と、認証サーバ４（又は認証処理部３２）によって生成された指令員種別情報と、警報情報に含まれている優先順位情報２１ｇとに基づいて警報情報が選択されて表示されることにより、どのような指令員が監視システム１０にログインしているかに応じて、適切な警報情報が適切な監視端末３に表示される。
【００６５】
警報情報が監視画面３８に表示されると、指令員は、表示された警報情報を確認したことを示す確認入力を入力装置３１に入力することができる。表示された警報情報に対する確認入力が入力されると、警報表示処理部３７は、その警報情報に発報中フラグを付加する。発報中フラグが付加された警報情報は、以後、監視画面３８に表示する警報情報としては選択されない。
【００６６】
更に、警報表示処理部３７は、確認された警報情報を消去することを要求する警報情報消去要求を生成する。警報情報消去要求は、確認された警報情報の警報ＩＤ２１ｃを含んでいる。該警報情報消去要求は、確認された警報情報のサブシステムＩＤ２１ｅによって特定されるサブシステム１に、ＬＡＮ５を介して送信される。警報情報消去要求を受信したサブシステム１の警報通信処理部２３は、警報情報消去要求に示されている警報ＩＤ２１ｃを有する警報情報を警報送出バッファ２２から消去する。
【００６７】
以後、同様に、各警報サーバ２の警報送出バッファ２２に蓄積された警報情報が、定期的に監視端末３に送信され、監視端末３は、送信された警報情報のうち適切なものを監視画面３８に表示する。
【００６８】
本実施の形態の監視システム１０では、他端末監視部３４によって生成された他端末状態情報と、認証サーバ４（又は認証処理部３２）によって生成された指令員種別情報に基づいて警報情報が選択されて表示される。これにより、どのような指令員が監視システム１０にログインしているかに応じて、適切な警報情報が適切な監視端末３に表示される。
【００６９】
更に、本実施の形態の監視システム１０は、その一部が故障しても、監視システム１０の全体の動作が阻害されにくい。本実施の形態の監視システム１０は、警報サーバ２と監視端末３とは、他の警報サーバ２と他の監視端末３とから独立して動作可能である。例えば、監視端末３は、警報情報を自律的に各警報サーバ２から受信し、且つ、他の監視端末３の状況に応じて適切な警報情報を自律的に選択して表示する。警報サーバ２は、監視端末３を特定することなく警報情報を送信する。更に、認証サーバ４が故障しても、監視端末３は、独立して指令員の認証を行うことができる。このように、警報サーバ２と監視端末３の独立性により、本実施の形態の監視システム１０は、その一部が障害による全体への影響を最小限にとどめることが可能である。
【００７０】
更に、本実施の形態の監視システム１０は、それを運用する人的な組織の組織変更や、その監視システム自体のシステム変更に柔軟に対応可能である。例えば、本実施の監視システム１０の警報サーバ２は、サブシステム１とのインターフェース以外、同一のハードウエア及びソフトウエアによって実現可能である。従って、上述の動作を行う警報サーバ２をＬＡＮ５に接続し、又は切り離すことにより、監視するサブシステム１の数を容易に増減することができる。
【００７１】
更に、監視端末３は、それを操作する指令員の種別にかかわりなく、同一のハードウエア及びソフトウエアによって実現可能である。従って、監視端末３の数は、ＬＡＮ５に監視端末３を接続し、又は切り離すことにより、容易に増減することができる。ゆえに、監視システム１０を同時に使用する指令員の数及び種別は容易に変更可能であり、監視システム１０は、それを運用する人的な組織の組織変更に柔軟に対応可能である。
【００７２】
本実施の形態において、指令員の認証は、認証サーバ４によって行われるのではなく、監視端末３の認証処理部３２によって行われることが可能である。この場合、認証サーバ４は、単に指令員認証テーブル４２の各監視端末３への配信のみを行う。
【００７３】
また、本実施の形態において、認証サーバ４は、指令員がログインしている全ての監視端末３の端末ＩＤと、その指令員の種別を示す情報とを含む全端末状態情報を配信し、前記監視端末３は、前記全端末情報情報から、既述の他端末状態情報と指令員種別情報とを抽出することが可能である。認証サーバ４は、
各監視端末３にログインしようとする指令員の認証を行うから、指令員がログインしている全ての監視端末３の端末ＩＤと、その指令員の種別とを把握している。これらの情報から、認証サーバ４は、上述の全端末状態情報を生成する。
【００７４】
認証サーバ４によって全端末状態情報が配信される場合には、認証サーバ４は多重化され、主の認証サーバ４と従の認証サーバ４とが設けられることが好適である。この場合、主の認証サーバ４の動作が停止した場合には、従の認証サーバ４が指令員の認証と全端末状態情報の配信を行う。
【００７５】
【発明の効果】
本発明により、どのような指令員がログインしているかに応じて、適切な警報情報が適切な監視端末に表示される監視システムが提供される。
また、本発明により、どのような指令員がログインしているかに応じて、適切な警報項目が適切な監視端末に表示される監視システムであって、その一部分が故障しても他の部分の機能が阻害されにくい監視システムが提供される。
また、本発明により、それを運用する人的な組織の組織変更、及び／又は、その監視システム自体のシステム変更に柔軟に対応可能な監視システムが提供される。
【図面の簡単な説明】
【図１】図１は、本発明による監視システムの実施の一形態を示す。
【図２】図２は、当該監視システムの警報サーバ２、監視端末３、及び認証サーバ４の詳細を示すブロック図である。
【図３】図３は、指令員認証テーブル４２（及び、指令員認証テーブル３３）の内容を示す。
【図４】図４は、警報情報の内容を示す。
【符号の説明】
１：サブシステム
２：警報サーバ
３：監視端末
４：認証サーバ
５：ＬＡＮ（Ｌｏｃａｌ  Ａｒｅａ  Ｎｅｔｗｏｒｋ）
２１：警報発生処理部
２２：警報送出バッファ
２３：警報通信処理部
２４：ネットワークＩ／Ｆ
３１：入力装置
３２：認証処理部
３３：指令員認証テーブル
３４：他端末監視部
３５：警報通信処理部
３６：警報バッファ
３７：警報表示装置部
３８：監視画面
３９：ネットワークＩ／Ｆ
４１：認証処理部
４２：指令員認証テーブル
【図１】
2004310526.tif 000003
【図２】
2004310526.tif 000004
【図３】
2004310526.tif 000005
【図４】
2004310526.tif 000006